(57)【要約】【課題】人体に良いとされるマイナスイオンを効率的に発生させることができる健康装身具としても適用可能なイオン発生体を提供する。【解決手段】（Ａ）永久電気双極子結晶鉱物を含有し、人体の皮膚に実質的に接触させた状態で使用するイオン発生体であって、人体皮膚との接触面側に、発汗作用による湿気を利用してマイナスイオン発生を促進する発汗利用イオン促進部を設けたこと、（Ｂ）発汗利用イオン促進部が下記（１）〜（４）に示される構成の１又は２以上の組合せであることを特徴とするイオン発生体である。（１）人体皮膚との接触面側に突起が設けられている構成（２）人体皮膚との接触面側に凸条が設けられている構成（３）人体皮膚との接触面側に凹条（溝）が設けられている構成（４）人体皮膚との接触面側に貫通する透孔が設けられている構成【選択図】　図１
2004065340.tif 000002
【特許請求の範囲】
【請求項１】
永久電気双極子結晶鉱物を含有し、人体の皮膚に実質的に接触させた状態で使用するイオン発生体であって、人体皮膚との接触面側に、発汗作用による湿気を利用してマイナスイオン発生を促進する発汗利用イオン促進部を設けたことを特徴とするイオン発生体。
【請求項２】
発汗利用イオン促進部が下記（１）〜（４）に示される構成の１又は２以上の組合せであることを特徴とする請求項１に記載のイオン発生体。
（１）人体皮膚との接触面側に突起が設けられている構成
（２）人体皮膚との接触面側に凸条が設けられている構成
（３）人体皮膚との接触面側に凹条（溝）が設けられている構成
（４）人体皮膚との接触面側に貫通する透孔が設けられている構成
【請求項３】
前記イオン発生体が、永久電気双極子結晶鉱物と合成樹脂とを混合した後に成形して得られた成形体であることを特徴とする請求項１又は２に記載のイオン発生体。
【請求項４】
前記イオン発生体が、永久電気双極子結晶鉱物と土器・陶器・せっ器・磁器の原料土とを混合した後に焼成して得られた焼物であることを特徴とする請求項１又は２に記載のイオン発生体。
【発明の詳細な説明】
【０００１】
【発明の属する技術分野】
本発明はイオン発生体に関し、詳しくは、人体に良いとされるマイナスイオンを発生するイオン発生体に関する。
【０００２】
【従来の技術】
従来から健康に配慮し体質改善を目的とした装身具として、所謂磁気ネックレス等が最も知られている。かかる体質改善を目的とした健康装身具としては、例えば、実用新案登録第３０２１２２５号には磁力と遠赤外線と薬効を夫々発揮する永久磁石と微粉末鉱石と微粉末植物とを内包する構成の装身具が記載されており、同３０２１２７７号にはイオンを発生するラジウム鉱石で構成された装身具が記載されており、同３０２３５５９号にはイオンを発生するトルマリン原石で構成された装身具が記載されており、同３０３８２９０号には金属イオンを発生する金属で構成された装身具が記載されており、特開昭６２−２５４７７１号には電磁波又は放射線を発生するゲルマニウム等の物質で構成された装身具が記載されており、特開平４−３２２６６６号ではゲルマニウムを含有する成形体を粘着シートで人体に貼着する装身具が記載されており、同５−２９７１９号では遠赤外線を放射するセラミックが混練されたシリコンゴム製の装身具が記載されており、特開２０００−２６２６３８号ではイオン化傾向の異なる数種の金属で構成された装身具が記載されており、同２００１−３１４２１３号ではトルマリン製の装身具が記載されており、実開昭６１−７１１４６号には合成樹脂体とゲルマニウムを一体形成して成る装身具が記載されており、同６２−４８３５９号には水晶体にゲルマニウムから成る固形体を固着した装身具が記載されており、実開平２−２５２４８号にはゲルマニウム粒を内設した装身具が記載されており、同２−１２６６６１号には遠赤外線放射物質から構成された装身具が記載されている。
【０００３】
上記した中でも、実用新案登録第３０２１２７７号、同３０２３５５９号、同３０３８２９０号及び特開２００１−３１４２１３号に記載されているイオンを発生する装身具が昨今では注目されている。
【０００４】
プラスイオン、マイナスイオンの内、従来よりマイナスイオンの方が人体等に対して効用をもたらすことが知られている。
【０００５】
マイナスイオンによる効用については、例えば、「Ａｉｒ　Ｉｏｎ　：　Ｐａｓｔ　Ｐｒｏｂｌｅｍｓ　Ａｎｄ　Ｆｕｔｕｒｅ　Ｄｉｒｅｃｔｉｏｎｓ」，Ｅｎｖｉｒｏｎｍｅｎｔ　Ｉｎｔｅｒｎａｔｉｏｎａｌ，　Ｖｏｌ．１２，　ＰＰ９９〜１０６，　１９８６や「イオン健康法の秘密」，ＰＰ４〜１９，健友館，平成１年２月２０日第９版発行等において指摘されている。
【０００６】
前者によれば、個人差はあるものの、湿度、気温等が快適域にあるにも拘わらず、マイナスイオンの濃度が低いと憂うつさや眠気を引き起こし、マイナスイオンの濃度が高いと、これらの兆候が減少し、リアクションタイム等のパフォーマンスの上昇、気分の安定、注意力・集中力の増加等の効果が認められる点が示されている。さらに、乾燥した空気中には、プラスイオンが多く含まれるので、乾燥時には不眠症や短気になり易く、事故や犯罪が多くなるという点も示されている。
【０００７】
また、後者によれば、マイナスイオンは自律神経への影響が大きく、鎮静作用があり、交通事故の減少をもたらし、判断力や注意力の増加、精神の安定等に寄与する点が示されている。つまり、いずれの文献によっても、マイナスイオンの存在が人体に良い影響を及ぼすという共通の知見が開示されている。
【０００８】
したがって、マイナスイオンを発生させて装着者に積極的に供給できるような装身具を身に付けることが好ましい。
【０００９】
【発明が解決しようとする課題】
ところが上記したイオンを発生する装身具のいずれもが、マイナスイオンのみならず、同量のプラスイオンも生じており、両イオンの打ち消し合いによってマイナスイオン効果が少ないことが判った。
【００１０】
このように、単にイオンを発生する物質を内包ないしは発生物質で構成した装身具だけでは、快適なマイナスイオン効果が保証できるとは限らない。
【００１１】
そこで本発明の課題は、人体に良いとされるマイナスイオンを効率的に発生させることができる健康装身具としても適用可能なイオン発生体を提供することにある。
【００１２】
【課題を解決するための手段】
本発明者は上記課題を解決するため鋭意研究したところ、乾燥した環境下ではマイナスイオンの発生が妨げられるという性質がある、即ち、マイナスイオンの発生は湿度との相互作用が関係するものであり、無条件にマイナスイオンを発生させようとしても湿度条件を考慮しなければ効率よく発生することができないという性質に着目した。
【００１３】
かかる性質から、装身具等のように人体に接触状態或いは近接して身に付けることにより、人体が発する汗（環境温度の高いときに現れる温熱性発汗、精神緊張時に現れる精神性発汗など）を利用し、汗という水分による湿気によりマイナスイオンの発生量を増加させることができることを見出し、本発明に至ったものである。
【００１４】
即ち、上記本発明の課題は下記構成によって達成される。
【００１５】
１．永久電気双極子結晶鉱物を含有し、人体の皮膚に実質的に接触させた状態で使用するイオン発生体であって、人体皮膚との接触面側に、発汗作用による湿気を利用してマイナスイオン発生を促進する発汗利用イオン促進部を設けたことを特徴とするイオン発生体。
【００１６】
２．発汗利用イオン促進部が下記（１）〜（４）に示される構成の１又は２以上の組合せであることを特徴とする上記１に記載のイオン発生体。
（１）人体皮膚との接触面側に突起が設けられている構成
（２）人体皮膚との接触面側に凸条が設けられている構成
（３）人体皮膚との接触面側に凹条（溝）が設けられている構成
（４）人体皮膚との接触面側に貫通する透孔が設けられている構成
【００１７】
３．前記イオン発生体が、永久電気双極子結晶鉱物と合成樹脂とを混合した後に成形して得られた成形体であることを特徴とする上記１又は２に記載のイオン発生体。
【００１８】
４．前記イオン発生体が、永久電気双極子結晶鉱物と土器・陶器・せっ器・磁器の原料土とを混合した後に焼成して得られた焼物であることを特徴とする上記１又は２に記載のイオン発生体。
【００１９】
【発明の実施の態様】
以下、本発明の詳細について説明する。尚、本発明においてマイナスイオン発生促進に利用する湿気は、人体皮膚からの発汗作用による湿気であり、これによってイオン発生体を濡れ状態にするものである。
【００２０】
図１は本発明に係るイオン発生体の一実施例を示す人体皮膚接触面側の斜視図、図２は図１のイオン発生体の使用状態の一例を示す側面図、図３は本発明に係るイオン発生体の他の実施例を示す人体皮膚接触面側の斜視図、図４は本発明に係るイオン発生体の他の実施例を示す人体皮膚接触面側の斜視図、図５は本発明に係るイオン発生体の他の実施例を示す人体皮膚接触面側の斜視図、図６は図５のイオン発生体の使用状態の一例を示す側面断面図、図７は本発明に係るイオン発生体の他の実施例を示す側面図、図８は本発明に係るイオン発生体の他の実施例を示す側面図、図９は図８の平面図である。
【００２１】
本発明に係るイオン発生体１はイオンを発生する永久電気双極子結晶鉱物を含有するものであり、図１及び図２に示すように人体皮膚Ｈに実質的に接触させた状態で使用した際に人体皮膚Ｈとイオン発生体１との間に部分的に空隙部が生じるように接触面側に、発汗利用イオン促進部としての突起１１が設けられている。尚、１０は通気孔である。
【００２２】
本明細書において、「実質的に接触」とは人体皮膚Ｈに直接接触している以外に、汗を通すような薄布等の素材を間に介在させている場合をも含むものである。例えば、水分を浸透する布等を貼り付ける態様はその一例である。
【００２３】
図２に示すように人体皮膚Ｈに空隙を介して接触させることにより、環境温度が高い場合や運動時、或いは精神緊張時のみならず、常温時や平常時においても体温調整等のために自然な発汗作用が働いているので、イオン発生体１は汗による湿気によってマイナスイオンをプラスイオンより過分に発生させることになる。発汗した汗は、突起１１によってイオン発生体１と人体皮膚との間に確保された空隙を通過することができるので、汗による湿気がイオン発生体１の人体接触面側の表面に隈なく行き渡り、マイナスイオン発生効果をより増大させることとなる。さらに空隙部を通過した汗を含んだ湿気は、発生したマイナスイオンと共にイオン発生体１周囲に放出され、人体の他の部位にもマイナスイオン効果を生ぜしめることとなる。
【００２４】
イオン発生体１に含有される永久電気双極子結晶鉱物としては、イオンを放出するものであれば公知のもの、例えば、モナズ鉱石、ヘルグソン鉱石、ラジウム鉱石、トルマリン、タウマリン、太陽石、花崗岩、硫黄石、ルビー等の自然石、若しくは永久電気双極子モーメントを有する人口合成鉱物、又はそれ等の混合物樹脂を用いることができる。中でも、僅かな水分でマイナスイオンを多く放出することから、モナズ鉱石、ヘルグソン鉱石、ラジウム鉱石、トルマリン、タウマリンが好ましく、特にモナズ鉱石、ヘルグスオン鉱石、ラジウム鉱石がポロニウム２１０等を含有するため好ましい。
【００２５】
本発明では、イオン発生源として永久電気双極子結晶鉱物を用いるため、電源不要で半永久的にイオンを発生させることができる。しかも、該永久電気双極子結晶鉱物の放射性により汗による水分も腐り難くなるため臭い等も生ぜず衛生的である。
【００２６】
尚、永久電気双極子結晶鉱物は、放射性物質であるため、法律に基づく制定レベル（３７０ベクトル／ｇ以内）を厳守することは勿論である。
【００２７】
イオン発生体１は、永久電気双極子結晶鉱物を合成樹脂と混合して固めた多孔質イオン発生体であることが好ましい。この場合、毛細管現象を生じさせて、発汗による湿気をイオン発生体内部まで導き、よりマイナスイオン発散効果を高めるために、連続気泡を有する発泡樹脂として成形してもよい。
【００２８】
また、イオン発生体１は、上記の合成樹脂と混合して固めた以外に、永久電気双極子結晶鉱物と土器・陶器・せっ器・磁器の原料土とを混合した後に成形し焼成して得られた成形体であることも好ましい。せっ器の場合、酸化焼成によって多孔質の素地を形成することができる。
【００２９】
永久電気双極子結晶鉱物をセラミック化するには、永久電気双極子結晶鉱物を平均粒径０．３〜１００．０μｍの粉体とし、必要かつ充分な量（例えば５〜７０重量％）の該粉体と陶磁器素地用の粘土（平均粒径が１〜２００μｍ、例えば３０〜９５重量％）とを混合する。粘土としては木節粘土、蛙目粘土、及びカオリンが好ましい。
【００３０】
永久電気双極子結晶鉱物粉体と粘度とを混合した後、所望の形状に成形工程後、乾燥工程を経過して、焼成する。焼成温度は７００〜１３００℃の範囲が好ましい。尚、本発明のイオン発生体１には、０．１〜１０重量％のアルミニウム、ステンレス等の金属粉末、その他の添加物を含有していてもよい。
【００３１】
図１及び図２に示す上記構成のイオン発生体１は、例えば厚みが１ｍｍ以下のフィルムないしシート状であってもよいし、例えば５〜１０ｍｍ程度の板状体に形成されてもよく、大きさは最大径が例えば１〜５ｃｍ程度のものであり、形状は装飾を考慮することが好ましく、例えば円形・楕円形・正多角形・不定形（バッヂ、ワッペン、ペンダント等）など種々の形状を採ることができる。そして、発汗利用イオン促進部による人体皮膚接触面とは反対面は、種々の模様・彫刻等を施すことによって、バッヂ、ワッペン、ペンダント等としての利用も可能となる。
【００３２】
また、突起の高さは、イオン発生体１と人体皮膚Ｈとの間に発汗の逃げる空隙、即ち、発汗利用イオン促進部を構成するための通気可能な空隙が確保されていればよく、１〜５ｍｍ程度、好ましくは２〜３ｍｍ程度あればよい。
【００３３】
イオン発生体１と人体皮膚Ｈとの間に発汗利用イオン促進部を設ける構成としては、上記した図１及び図２に示す突起１１に限らず、他の構成を採ることもできる。
【００３４】
例えば、図３に示すようにイオン発生体１の人体皮膚Ｈとの接触面側に、発汗利用イオン促進部としての凸条１２が設けられている構成であってもよいし、或いは、図４（Ａ）及び（Ｂ）に示すようにイオン発生体１の人体皮膚Ｈ接触面側に、発汗利用イオン促進部としての凹条（溝）１３が設けられている構成であってもよいし、更には図５及び図６に示すようにイオン発生体１の接触面側から表面まで貫通する透孔１４が発汗利用イオン促進部として設けられている構成であってもよい。
【００３５】
図４に示す凹条（溝）１３の場合、（Ａ）図に示すような略並行の複数本の凹条（溝）でもよいし、（Ｂ）図に示すように交差状の複数本の凹条（溝）でもよい。
【００３６】
また、上記したようなイオン発生体１に形成した凹凸や透孔の１又は２以上の組合せから成る発汗利用イオン促進部に限らず、図７（Ａ）〜（Ｃ）に示すように　イオン発生体１を側面視したときに該イオン発生体１そのものが凹凸状態となるように波板状（（Ａ）参照）やジグザグ状（（Ｂ）参照）やクランク状（（Ｃ）参照）に形成し、人体皮膚Ｈとの接触面側に、発汗利用イオン促進部を構成するための空隙部が部分的に生じるようにすることもできる。これら（Ａ）〜（Ｃ）の他にパルス状でもよいし、その波形なども規則周期に限らず不規則周期でもよいし、厚みについても同一肉厚に限らず、不定肉厚であってもよい。
【００３７】
更に上記した突起、凸条、凹条（溝）、透孔、波板状、ジグザグ状、クランク状等の各態様を１又は２以上複合させた発汗利用イオン促進部であってもよい。
【００３８】
以上、本発明の説明に際し、突起、凸部等から成る発汗利用イオン促進部は、イオン発生体１と一体のものとして説明したが、別体で構成しても構わない。
【００３９】
更にまた、本発明に係るイオン発生体１は図１〜図７に示す実施例のような薄板状のものに限らず、他の形態、例えば、図８及び図９に示すような装身具型（ブレスレット、アンクレット、ベルトなど）とすることもできるし、人体皮膚と実質的に接触可能な構成であれば他の種々公知公用の装身具の形状を採ることもできる。尚、図中１８は永久磁石、宝石、（貴）金属等の付加物を設けるための透孔を表す。
【００４０】
図８において、装身具形のイオン発生体１は、ベルト部１５・１５に設けられたキノコ型突起状の係合部１６の１ないし複数を、透孔の被係合部１７の１ないし複数に嵌合することにより、腕、足首等の部位に装着することができる。
【００４１】
更に、本発明に係る上記構成のイオン発生体１には、該イオン発生体１の湿度を感知して表示する湿度計を配設（例えば貼着）していてもよい。かかる構成の湿度計としては、空気中の湿度に左右されずに該湿度計を配設したイオン発生体１自体の湿度のみを感知するものが用いられ、その湿度状態を表示することにより、イオン発生体１の湿度から推定的に予め規定されているマイナスイオンの発生量を使用者に知らせる構成であることが好ましい。
【００４２】
イオン発生体１の湿度を感知して表示する湿度計としては、この種の湿度計乃至湿度センサーとして公知公用のものが用いられる。例えば、潮解性のある無機物結晶で水和の程度により変色する化合物の粉末を顔料の代わりに塗料に使用することにより、雰囲気の湿度により変色し、湿度を知らせることができる塗料を不織布や布帛に塗布した変色センサー型の物質表面湿度計が挙げられる。
【００４３】
イオン発生体１の湿度から該イオン発生体１の発生するマイナスイオン発生量を推定的に規定するには、販売に先立って、イオンセンサー及び湿度計によってマイナスイオンの発生量及びイオン発生体１の湿度とを予め測定し、両者の相関関係を前もって規定しておく。係る規定に基づき、本発明品であるイオン発生体１を購入し身に付けた場合においては、前記相関関係を当て嵌めるだけで、マイナスイオンの発生量を高価なイオンセンサーにより直接測定しなくても、該マイナスイオンが発生しているイオン発生体１の湿度から容易に推認することができることとなる。
【００４４】
以下、本発明に係るイオン発生体１の一実施例のマイナスイオンの発生量測定の実験結果の一例を記す。
【００４５】
本発明者による実験によれば、次のことが確認された。
図１に示すイオン発生体１（ラジウム鉱石微粉末を含有せしめたセラミックス多孔質体）に、腕からの発汗による湿気を与え、イオン発生体１近傍にエアーイオンカウンタ（フィーサ株式会社製、正・負イオン同時検出式空気イオン計測器ＦＩＣ−２０００）を置いて正・負イオン類を計測したところ、イオン発生体１を置く前が、正イオン数２０ｉｏｎｓ／ｃｍ３、負イオン数４０ｉｏｎｓ／ｃｍ３であった（測定室２５℃、４０％ＲＨ下の空気イオン数を示す。）ものが、正イオン数２００ｉｏｎｓ／ｃｍ３、負イオン数６００ｉｏｎｓ／ｃｍ３を示した。このときのイオン発生体１の湿度は１００％ＲＨを示した。一方、イオン発生体１を乾燥させた状態（湿度２０％ＲＨ）の場合、正イオン数６００ｉｏｎｓ／ｃｍ３、負イオン数２００ｉｏｎｓ／ｃｍ３を示した。また、多孔質イオン発生体１を半乾燥状態（湿度６０％ＲＨ）にした場合、正イオン数１５０ｉｏｎｓ／ｃｍ３、負イオン数４００ｉｏｎｓ／ｃｍ３を示した。
【００４６】
本発明に係るイオン発生体１の接触箇所としては、人体の全皮膚面に発汗部があるため利用者の状況等に応じて適宜任意の箇所に、メンディングテープ等による貼付、バンドやチェーンによる仮固定等の手段によって接触させることができる。
【００４７】
具体的には、温熱性発汗の現れる部位は、手の平と足底と脇下以外の全皮膚面であり、これらの皮膚面の中で適宜選択すればよい。温熱性発汗によってマイナスイオン発生量が増加することにより、環境温度が上昇したり或いは運動等により体温が上昇した時であっても、マイナスイオン効果によって鎮静作用が大きく作用し、判断力や注意力が増加し、精神の安定を図ることができるようになる。
【００４８】
また、精神性発汗の現れる部位は、手の平と足底と脇下であるので、これらの箇所にイオン発生体１を貼付等の手段により接触させることで、精神緊張の程度に伴って、即ち、発汗量の増加に伴って、マイナスイオン発生量も増大することになるので、鎮静作用が大きく作用し、判断力や注意力が増加し、精神の安定を図ることができるようになる。
【００４９】
【発明の効果】
本発明によれば、人体に良いとされるマイナスイオンを効率的に発生させることができる健康装身具としても適用可能なイオン発生体を提供することができる。
即ち、本発明によれば、水分等の湿気により永久電気双極子結晶鉱物の放出するマイナスイオン発生量が増加するという性質に着目し、装身具等のように人体に接触状態或いは近接して身に付けることにより、人体が発する汗（環境温度の高いときに現れる温熱性発汗、精神緊張時に現れる精神性発汗など）を利用して汗という水分による湿気によりマイナスイオンの発生量を増加させたものである。これによって、生物が持つ機能を刺激する所謂ホルミシス（ｈｏｒｍｅｓｉｓ）効果が得られる。
【図面の簡単な説明】
【図１】本発明に係るイオン発生体の一実施例を示す人体皮膚接触面側の斜視図
【図２】図１のイオン発生体の使用状態の一例を示す側面図
【図３】本発明に係るイオン発生体の他の実施例を示す人体皮膚接触面側の斜視図
【図４】本発明に係るイオン発生体の他の実施例を示す人体皮膚接触面側の斜視図
【図５】本発明に係るイオン発生体の他の実施例を示す人体皮膚接触面側の斜視図
【図６】図５のイオン発生体の使用状態の一例を示す側面断面図
【図７】本発明に係るイオン発生体の他の実施例を示す側面図
【図８】本発明に係るイオン発生体の他の実施例を示す側面図
【図９】図８の平面図
【符号の説明】
１　イオン発生体
１０　通気孔
１１　突起
１２　凸条
１３　凹溝（条）
１４　透孔
１５　ベルト部
１６　係合部
１７　被係合部
１８　永久磁石、宝石、（貴）金属等の付加物を設けるための透孔
Ｈ　人体皮膚
【図１】
2004065340.tif 000003
【図２】
2004065340.tif 000004
【図３】
2004065340.tif 000005
【図４】
2004065340.tif 000006
【図５】
2004065340.tif 000007
【図６】
2004065340.tif 000008
【図７】
2004065340.tif 000009
【図８】
2004065340.tif 000010
【図９】
2004065340.tif 000011